Podtech/llm-jp-corpus-v4-ja_patent huggingface dataset:
(57)【要約】【課題】ガラスアタッチメントが該ゴムコネクターから簡単にはずれないように安定した装着状態を維持できる美顔用施術器具を提供する。【解決手段】一方にチューブ３が設けられる接続継ぎ手１と、該接続継ぎ手１の他端に設けられるゴムコネクター２と、前記チューブ３とゴムコネクター２を係止且つ覆うための押えカバー４とを設けるとともに、前記押さえカバー４とゴムコネクターの間にガラスアタッチメント５を装着し且つシールするようにした。【選択図】　　　　　図１
2004121682.tif 000002
【特許請求の範囲】
【請求項１】
一方にチューブが設けられる接続継ぎ手と、該接続継ぎ手の他端に設けられるゴムコネクターと、前記チューブとゴムコネクターを係止且つ覆うための押えカバーとを設けるとともに、前記押さえカバーとゴムコネクターの間にガラスアタッチメントを装着し且つシールできるようにしたことを特徴とする美顔用施術器具。
【発明の詳細な説明】
【０００１】
【発明の属する技術分野】
本発明は、皮膚の皮脂除去や部分的マッサージを行う際に使用する美顔用施術器具に関する。
【０００２】
【従来の技術】
この美顔用施術器具は、エアーの吸引による皮膚の皮脂等を吸引して顔の油分を除去またはエアー吹き出しによる顔などの皮膚を圧迫して部分的なマッサージを行う美顔の施術に使用するものであるが、従来のものは、図２に示すように、エアー装置（図示せず）に接続されるチューブ３が接続継ぎ手６の一方に接続され、止め金具８で抜け止めされている。
【０００３】
また接続継ぎ手６の他端には、ゴムコネクター７が装着されており、ゴムコネクターの他方部はテーパー部７ａが形成されている。
さらには前記ゴムコネクター７のテーパー部７ａにはガラスアタッチメント５が装着されている。
【０００４】
【特許文献】なし
【０００５】
【発明が解決しようとする課題】
ところで、前記した美顔用施術器具では、ガラスアタッチメント５は、該ゴムコネクター７のテーパー部７ａに押し込むように装着されるが、前記テーパー部７ａとガラスアタッチメント５の内面の公差により、固定されず抜けるという問題がある。
【０００６】
また施術の際にガラスアタッチメント５をもってあらゆる角度に変化させることでゴムコネクタ−７が曲がるために、チューブ３が折れ曲がり、簡単にガラスアタッチメント５が抜け落ちたり、吸い込みや吹き出しが不安定になるという問題があった。
【０００７】
本発明は前記した問題を解決せんとするもので、その目的とするところは、ガラスアタッチメントが該ゴムコネクターから簡単にはずれないように安定した装着状態を維持できる美顔用施術器具を提供せんとするものである。
【０００８】
【課題を解決するための手段】
本発明の美顔用施術器具は前記目的を達成せんとするもので、その手段は、一方にチューブが設けられる接続継ぎ手と、該接続継ぎ手の他端に設けられるゴムコネクターと、前記チューブとゴムコネクターを係止且つ覆うための押えカバーとを設けるとともに、前記押さえカバーとゴムコネクターの間にガラスアタッチメントを装着し且つシールできるようにする。
【０００９】
【発明の実施の形態】
以下、本発明にかかる美顔用施術器具の一実施の形態を図面とともに説明する。
図１より、１は接続継ぎ手であり、２は接続継ぎ手１に嵌挿されるゴムコネクターである。
【００１０】
２ａは突起部であり、２ｂはシール部、２ｃは係合部である。
３はエアー装置（図示せず）に接続されるチューブであり、前記接続継ぎ手１に嵌挿されている。４は押えカバーである。
５は前記ゴムコネクターに装着されるガラスアタッチメントである。
【００１１】
以上の構成により、接続継ぎ手１にチューブ３とゴムコネクター２が装着され、且つゴムコネクター２と押えカバー４は係合部２ｃで係合されているため、安定した状態で取り付けられている。
またガラスアタッチメント５は前記ゴムコネクター２と押さえカバー４の間に嵌挿され、且つ突起部２ａとシール部２ｂで確実にシールされるようになっている。
【００１２】
従って、前記ガラスアタッチメント５は、押さえカバー４で覆われ、ゴムコネクター２が嵌挿しているためゴムコネクター２の曲がりが抑制されており、突起部２ａとシール部２ｂで確実にシールされ、且つガラスアタッチメント５はゴムコネクター２に容易に脱着できるようになっている。
【００１３】
【発明の効果】
本発明は前記したように、使用する時にゴムコネクターの曲がりが少なく、また簡単に抜けることもないので、施術者は安心して使用することができる。
【００１４】
また確実にシールされているためエアー等が漏れることもなく、且つガラスアタッチメントはゴムコネクターに容易に脱着でき、他のガラスアタッチメントとの交換が簡易にできる。
【図面の簡単な説明】
【図１】本発明に係る美顔用施術器具の断面図である。
【図２】従来の美顔用施術器具の断面図である。
【符号の説明】
１　　　　　接続継ぎ手
２　　　　　ゴムコネクター
２ａ　　　　突起部
２ｂ　　　　シール部
２ｃ　　　　係合部
３　　　　　バキュームチューブ
４　　　　　押えカバー
５　　　　　ガラスアタッチメント
【図１】
2004121682.tif 000003
【図２】
2004121682.tif 000004
(57)【要約】【課題】買い物の時引くキャスター付きカーとは、ほとんど老人向けのものしかなく、老人でも今のごつい袋を引くのには抵抗があり持てない。しかし牛乳やジュースそして水まで買い物する時代になり、主婦や子ずれの若いお母さんは大変である。何とかピクニックに行く感覚で楽しく沢山の買い物が楽に運ぶことのできる若い主婦用の買い物袋はないかと考えた。【解決手段】重くて分厚い防水カッパの袋と違いこのキセカエ　カーさん袋は、着類感覚で洗濯機で洗濯が出来衛生的。華やかな袋での買い物は少々遠くても楽しく買い物ができ、自動車を使うことなく経済的で環境にやさしい。スーパの袋が不必要となり問題になっているビニール袋の減量効果は大きい。【選択図】　　　　　　　図１
2004121820.tif 000002
【特許請求の範囲】
【請求項１】
レース地の上部と服地の下部からなる買い物袋で、袋の中央部分から出し入れすることを特徴とするカート用買い物袋。
【請求項２】
袋の中にダンボール箱を入れ、カーとに止める方法として上部は口をしめた紐でカートにしばり、中央部は帯びで締め、下部は袋の前部を折り曲げてマジックテープでカートに止めるものなり。
【発明の詳細な説明】
【０００１】
【発明に属する技術分野】
買い物の時引く車に乗せる若い主婦向けの買い物袋。徹底的に軽くするため防水布ではなく、洗濯機で服といっしょに洗濯が出来る、服地やカーテン地で作り袋の中には、スーパーから出る水が６本入る空箱を入れ、袋の口８から物を出し入れするのではなく真中の９から出し入れする買い物など専用袋。
【０００２】
【従来の技術】
従来は上の段と下の段を作り二段式になっていた。真中にしきりがあり不自由であった。洗濯機で袋を洗うのに仕切りがあり難儀である。又仕切りがあり重い。又一般に売られている買い物用キャスター付きカート袋は厚い防水布で出来ていてごつく、年配者でも持つのには抵抗がある形と色で、洗濯もできない。
【０００３】
【特許文献１】
▲１▼　　　　特開２０００−１７５７１９
【０００４】
【発明が解決しようとする課題】
毎日の買い物は牛乳、ジュース、そして水までも買う現在、年代の人だけでなく若いお母さんも自動車でないと持てないほどの重さである。現在のキャスターに用いる専用袋は老人向けでごつく抵抗がありもてない。若い人も年を取った人も、若々しい買い物袋を持って楽しく買い物がしたいと考えた。重さに心配なく買い物ができ、老人向けの哀れな買い物キャスター袋でなく健康のため歩いて買い物がしたいと考えた。食べ物を入れるのに箱のような硬い現在の袋は洗濯ができず新鮮な食べ物を運ぶのに抵抗もあった。又スーパーのビニール袋を何としても減らしたいとも考えた。
【０００５】
【課題を解決するための手段】
その日の服に合わせた色合いのキセカエ袋にして持てば、みじめな気持ちでなく重い毎日の買い物も楽しくなる。乗用車での買い物客も健康と排気ガス減量のため歩いて買い物ができる。このキセカエ　カーさん袋は着類といっしょでかさがなく洗濯が簡単で衛生的。中の箱はスーパーで大量に出る水６本入れの空箱を用いるので経済的。又問題になっているスーパーのビニール袋が不必要となり環境にやさしい。
【０００６】
【発明の実施の形態】
下半分を服地やカーテン地にし上半分はオシャレで軽いカーテンレースにし袋の口をしめた下にネッカチーフのようにオシャレな色合いのベルトの輪をつける図１参照。しめたひもでキャスターにしばるものとす。軽い袋の中にはスーパーから出る空箱を入れるものとする。
【０００７】
【実地例】
実用新案願に出してある実用２００２−２４００のキャリーに乗せ若向き買い物籠とした。又どこの家庭にもあるどんなキャスターにも取り付け可能である。買い物だけでなく散歩、ピクニックなど弁当や水筒を入れて運べ、昔のバスケット代わりにもなる。又登山の時にはキャスターから袋をはずしかついたりして持てる。洗濯ができ衛生的。絵、キルテング、刺繍など楽しい趣味の飾りがつけられ買い物が楽しくなる。沢山の人が持てば、問題になっている買い物の時のビニール袋の減量にも役立つ
【０００８】
【発明の効果】
重くて分厚い防水カッパの袋と違い着類感覚で洗濯機で洗濯ができ衛生的。華やかな袋での買い物は少々遠くても歩いて買い物ができ、自動車を使わなくても楽しいく買った物を運ぶことができて経済的で環境にやさしい。スーパーの袋が不必要になり問題になっているすべての買い物のの、ビニール袋減量の効果は大きい。
【図面の簡単な説明】
【図１】キセカエ　カーさん袋の中に空箱を入れた図
【符号の説明】
１　　　服地で作った袋。
２　　　中が半透明に見える布。
３　　　スーパーから出る空箱（水６本入り用）。
４　　　キャスターに取り付けるベルト。
５　　　ベルトを止めるマジックテープ。
６　　　口をしめた紐。これでキャスターの上部にしばる。
７　　　口が広がるのを防ぎ、又これはネッカチーフ感覚のオシャレのポイント。ぬいぐるみなど取り付ける。
８　　袋の口
９　　ファースナー
１０　持ち上げる時のあき
【図１】
2004121820.tif 000003
【図２】
2004121820.tif 000004
【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
食料品などを入れる買物袋で、レース地の上部と服地やカーテン地の下部からなる袋で、袋の中央部のつなぎ目に出し入れ用のファースナーを設けたことを特徴とするカート用買物袋。
【請求項２】
請求項１の袋の中にダンボール箱を入れ、それをカートに止めるために、上部は袋の口をしめた紐でしばり中央部は帯でしめ、下部は袋の前部を折り曲げて面ファスナーでカートに止めることとした請求項１に記載のカート用買い物袋。
【手続補正書】
【提出日】平成15年9月3日(2003.9.3)
【手続補正１】
【補正対象書類名】明細書
【補正対象項目名】図面の簡単な説明
【補正方法】変更
【補正の内容】
【図面の簡単な説明】
【図１】キセカエカーさんの袋の中に空箱を入れた図
【図２】実用新案登録第３０９０７６１のキャリーキセカエカーさんをのせるキャリーの参照図
【符号の説明】
１　　　服地で作った袋
２　　　中が半透明に見える布
３　　　スーパーから出る空箱や組立て箱。
４　　　キャスターに取りつけるベルト。
５．　　ベルトを止めるマジックテープ。
６．　　口をしめた紐。これでキャスターの上部にしばる。
７．　　袋の口が広がるのを防ぎ、オシャレのポイント、ぬいぐるみなど取りつける所。
８　　　袋の口
９．　　面ファスナー
１０．　持ち上げる時のあき
(57)【要約】【課題】　料理を短時間に処理するため、まな板を４枚用意し、種類の違う調理毎に清浄なまな板　に交換し、同時に使用後のまな板を清掃洗浄、高熱風殺菌を全て自動で行い次ぎの使用　に待機する。【解決手段】　４枚のまな板を１本のシャフトに固定、回転によりまな板を連続供給を可能とした。付　属する機能の清掃洗浄、及び殺菌乾燥は、まな板が90度回転し後方側面に移動停止する　と、時間経過の無い様に即清掃洗浄を行い、次ぎの90度回転でまな板が下部に固定する　と高熱風によりまな板全面の殺菌乾燥を行う。【選択図】　図２
2004121863.tif 000002
【特許請求の範囲】
【請求項１】
４枚又は複数のまな板を１本のシャフトに平行に固定し、スイッチを押す度にシャフトを90度回転し、洗浄乾燥済みのまな板を連続的に所定の場所に供給、停止固定する全自動のまな板洗浄機。
【請求項２】
洗剤と水を混合した液体の洗浄水噴射口と清掃用洗浄ブラシを備え、まな板の洗浄を可能とした清掃洗浄部を「請求項１」の後方外部に備えたまな板洗浄機。
【請求項３】
ヒーター内蔵のファンにより殺菌乾燥を行う熱風殺菌乾燥部を「請求項１」の後方下部に備えたまな板洗浄機。
【発明の詳細な説明】
【技術分野】
【０００１】
　　台所ならびに調理室等の流し（シンク）の側に本発明のまな板洗浄機を取り付け、調理に使うまな板を自動で清掃洗浄、熱風殺菌処理を終了した清浄な、まな板を連続的に提供する機械に関するものである。
【背景技術】
【０００２】
　　従来、種類の違う調理毎に、まな板を手で洗浄、水分ふき取りを必要としたため余計な時間をかけていた。
【発明の開示】
【発明が解決しようとする課題】
【０００３】
　　種類の違う調理毎に清潔なまな板に自動交換し、使用したまな板は自動で清掃洗浄殺菌乾燥し次ぎの使用に待機する。
【課題を解決するための手段】
【０００４】
４枚のまな板を１本のシャフトに固定し、回転によりまな板の連続供給を可能とした。付属する機能の清掃洗浄、及び殺菌乾燥は、まな板が90度回転し後方側面に移動停止すると、時間経過の無い様に即清掃洗浄を行い、次ぎの90度回転でまな板が下部に固定すると熱風によりまな板全面の殺菌乾燥を行う。
【発明の効果】
【０００５】
　　種類の違う調理の度に清浄なまな板を使用可能にしたたため、調理時間の節約、及び
　　熱風殺菌乾燥によりまな板介在による食中毒予防に効果がある。
【発明を実施するための最良の形態】
【０００６】
　　台所ならびに調理室等の流し（シンク）の側に図１の点線のように本発明のまな板洗
　　浄機を実装する。種類の違う調理終了毎に、まな板右後方のスイッチ６を押し、清浄
　　なまな板に自動交換する。
【０００７】
　　まな板回転部１は、図２に示すように４枚のまな板を１本のシャフト１１に平行に支
　　柱で固定する。シャフトは左方の90度ずつ回転可能なまな板回転用モーター５に結合
　　し、以上を台１２に固定する。回転を円滑にするため、回転時のみ図３に示すように
　　ベース１２全体を上下用モーター５により下降させる。
【０００８】
　　スイッチ６を押す度に、まな板回転部１が上下用モーター４により下降、回転後、又
　　元の位置に復帰停止し、洗浄乾燥済みのまな板を所定の場所に固定されまな板は使用
　　可能となる。
【０００９】
　　まな板回転部１の外部には、図３に示すように清掃洗浄部２が奥側に取り付けられて
ていて、洗浄水噴射口、洗浄ブラシ、及びこれらを上下させる洗浄ブラシ移動用モーターで構成される。まな板の回転が終了したら、清掃洗浄部移動用モーター９によりまな板に近ずく。洗剤タンク７より供給した洗剤と水を混合し洗浄水噴射口より流すと同時に、洗浄ブラシが回転しまな板に付着した調理屑を流し洗浄する。これをまな板の下部まで洗浄ブラシ移動用モーター８の移動によりまな板全面を清掃する。再度洗浄水噴射口、及び洗浄ブラシは、洗浄ブラシ移動用モーター８がまな板の上部まで上昇し、水のみでまな板を洗浄する。終了後は洗浄水噴射口、及び清掃ブラシは洗浄ブラシ移動用モーター８により元に復帰する。同時に清掃洗浄部移動用モーター９に
より清掃洗浄部２も元の位置に戻る。
【００１０】
熱風殺菌乾燥部３は下部に取り付けていて、ヒーター内蔵のファン、及び熱風噴射口で構成する。まな板の回転終了後、熱風殺菌乾燥部移動用モーター１０により清掃洗浄済みのまな板の左辺に近ずき、熱風を吹き付けながら熱風殺菌乾燥部移動用モーター１０により右辺に移動しまな板全体を殺菌乾燥し元の位置に戻る。
【図面の簡単な説明】
【００１１】
【図１】本発明のまな板洗浄機の実装斜視図である。
【図２】本発明のまな板洗浄機内部構成の斜視図である。
【図３】本発明のまな板洗浄機断面動作説明図である。
【符号の説明】
【００１２】
　　　１　　まな板回転部
　　　２　　清掃洗浄部
　　　３　　熱風殺菌乾燥部
　　　４　　まな板回転用モーター
　　　５　　上下用モーター
　　　６　　スイッチ
　　　７　　洗剤タンク
　　　８　　洗浄ブラシ移動用モーター
　　　９　　清掃洗浄部移動用モーター
　　１０　　熱風殺菌乾燥部移動用モーター
　　１１　　シャフト
　　１２　　台
【図１】
2004121863.tif 000003
【図２】
2004121863.tif 000004
【図３】
2004121863.tif 000005
(57)【要約】【課題】　無給油でも確実に駆動でき安定的な縫製に寄与できるミシンの針棒駆動装置を提供すること。【解決手段】　軸受部材１３，１４により上下動可能に支持された針棒１１を有するミシンの針棒駆動装置において、前記針棒１１が、金属材料を基材として前記軸受部材１３，１４との摺動面の基材上にＤＬＣにより０．１〜５μｍの膜厚１２の被膜を形成したもの。【選択図】　　　図１
2004121882.tif 000002
【特許請求の範囲】
【請求項１】
軸受部材により上下動可能に支持された針棒を有するミシンの針棒駆動装置において、前記針棒が、金属材料を基材として前記軸受部材との摺動面の基材上にＤＬＣにより０．１〜５μｍの膜厚の被膜を形成したことを特徴とするミシンの針棒駆動装置。
【発明の詳細な説明】
【技術分野】
【０００１】
　本発明は、ミシンにおける針棒駆動装置に係り、特に、いわゆる無給油化を可能にしたミシンの針棒駆動装置に関する。
【背景技術】
【０００２】
　前記針棒駆動装置は、上軸の回転運動を針棒の並進運動に変換するためのものであり、このような針棒駆動装置の従来のものを図２により説明する。
【０００３】
　図２において、上下方向に延在する軸部材たる針棒１の下端には針２が突設されており、この針棒１は、軸受部材たる鉄鋼製、銅合金、焼結合金製などの針棒上メタル３と針棒下メタル４とにより軸方向へ移動可能に支持されている。前記針棒１の軸方向の中間位置には針棒抱き５が針棒１と一体に移動しうるように固定されており、この針棒抱き５は、図示しない上軸の回転運動をクランク機構を介して上下運動に変換して伝達され、先端に突設された角駒部材６が図示しないガイド溝に沿うようにして針棒１とともに上下動するようになっている。
【０００４】
　そして、このような従来の針棒駆動装置においては、前記上軸に形成された中心孔を介して前記針棒上メタル３と針棒下メタル４の内側に潤滑油が供給されるようになっている。
【０００５】
　ところで、前述した従来の針棒駆動装置においては、前述したように潤滑油の給油が必要不可欠であったが、無制限に給油するわけにはいかないため、従来から給油量を調節していた。
【０００６】
　そして、この調節された給油量が少なすぎると焼付の発生があるし、また、給油量が多すぎると、針棒駆動装置においては、油漏れの問題が常につきまとうことになっていた。
【０００７】
　このように、給油を必要とする場合種々の問題が発生しており、このため従来からミシンの針棒駆動装置には無給油化が望まれていた。
【０００８】
　また、他のミシンの針棒駆動装置は、軸部材としてアルミニウム合金を基材とする針棒を有しており、このアルミニウム合金製の針棒の表面には、硬質アルマイト被膜が生成され、さらに、四フッ化樹脂または二硫化モリブデンに含浸して針棒が構成されている（例えば、特許文献１参照）。また、この特許文献１における軸受部材としてのすべり軸受は、ポリイミド系あるいはポリイミドアミド系の合成樹脂により構成されている。
【０００９】
　このような特許文献１に記載の針棒駆動装置を無給油で駆動すると、特に高速の場合には、針棒の四フッ化樹脂または二硫化モリブデンの層が直ちに摩耗により剥離してしまい、摩耗粉が大量に発生するばかりでなく、針棒とすべり軸受との間隙が大きくなってしまい、安定的な縫製を行えなくなるし、合成樹脂製のすべり軸受には、機械的強度が弱いし熱膨張しやすいという問題点もあった。
【００１０】
【特許文献１】特開平２−１０９５９２号公報
【発明の開示】
【発明が解決しようとする課題】
【００１１】
　本発明は、このような点に鑑み、無給油でも確実に駆動でき安定的な縫製に寄与できるミシンの針棒駆動装置を提供することを目的とする。
【課題を解決するための手段】
【００１２】
　前述した目的を達成するため、本発明のミシンの針棒駆動装置の特徴は、軸受部材により上下動可能に支持された針棒を有するミシンの針棒駆動装置において、前記針棒が、金属材料を基材として前記軸受部材との摺動面の基材上にＤＬＣにより０．１〜５μｍの膜厚の被膜を形成した点にある。
【発明の効果】
【００１３】
　以上説明したように本発明によれば、無給油でも確実に駆動でき安定的な縫製に寄与できるし、しかも無給油のため布が油により汚れるおそれもない。
【発明を実施するための最良の形態】
【００１４】
　図１は本発明の針棒駆動装置の実施の形態を示すものであり、本実施の形態の針棒駆動装置において、軸部材たる針棒１１は、その基材が鋼材により形成されており、この針棒１１上には、イオンプレーティング法により０．１〜５μｍの膜厚のセラミック材料被膜の一例としてのＤＬＣ被膜１２が形成されている。
【００１５】
　なお、前記セラミック材料被膜としては、前述したＤＬＣのほか、ＣｒＮ、ＴｉＮ、ＴｉＣ、ＴｉＡｌＮ、ＢＮなどが望ましい。このうち、ＣｒＮ、ＴｉＮ、ＴｉＣ、ＴｉＡｌＮは、０．２〜５０μｍの膜厚が好ましく、また、ＢＮは、０．１〜５μｍの膜厚が好ましい。
【００１６】
　一方、前記針棒１１を摺動しうるように支持する針棒上メタル１３および針棒下メタル１４は、それぞれその基材が鋼材により形成されており、これらの針棒上メタル１３および針棒下メタル１４の前記針棒１１と摺動する内周面には、ポリイミド系の合成樹脂単独あるいはこのポリイミド系の合成樹脂に固形潤滑剤を加えてなる合成樹脂材料からなるブッシュ１５が嵌合されている。このブッシュ１５における固形潤滑剤の配合例としては、ポリイミド系合成樹脂に５〜６０重量％の黒鉛を加えたもの、ポリイミド系合成樹脂に５〜４０重量％の黒鉛と５〜３０重量％のフッ素樹脂を加えたもの、あるいは、ポリイミド系合成樹脂に５〜３０重量％のフッ素樹脂を加えたものなどが望ましい。
【００１７】
　このようなポリイミド系合成樹脂単独あるいはポリイミド系合成樹脂に固形潤滑剤を加えてなる合成樹脂材料からなるブッシュ１５を有する針棒上メタル１３および針棒下メタル１４によれば、軸たる針棒１１との摺動におけるＰＶ値は最高４０kgf/cm2 ・m/s　となり、特に、セラミック材料被膜の一例としてＣｒＮ被膜を有する針棒１１との摩擦係数は０．２以下となり、発熱が少ないばかりでなく、摩耗量も減少させることができる。
【００１８】
　一般に、工業用ミシンの針棒駆動装置における軸受部材の平均Ｐ値は、回転数４０００spm の場合、約０．４kgf/cm2　程度で、周速度は約４．８m/s である。したがって、この場合のＰＶ値は、１．９２kgf/cm2 ・m/s　程度であり、安全率および摩耗の要因を考えても、回転数４０００spm　程度までは無給油による運転が十分可能である。
【００１９】
　なお、本発明は、前述した実施の形態に限定されるものではなく、必要に応じて種々の変更が可能である。
【図面の簡単な説明】
【００２０】
【図１】本発明に係るミシンの針棒駆動装置の実施の形態を示す断面図
【図２】従来のミシンの針棒駆動装置を示す斜視図
【符号の説明】
【００２１】
　１１　針棒
　１２　ＤＬＣ被覆
　１３　針棒上メタル
　１４　針棒下メタル
　１５　合成樹脂製ブッシュ
【図１】
2004121882.tif 000003
【図２】
2004121882.tif 000004
(57)【要約】【課題】従来の装飾品の装飾部に取り付けられた、自然光や、人工光の反射によって輝く宝石の代わりに、指輪は指の圧力で入るスイッチや、ブローチ、ネックレス、ブレスレット等は、半回転のネジによってスイッチが入り発光する発光体を、ガラスやプラスチックカバーで覆った装飾ユニットを設けたものを提供する。【解決手段】装飾品の指輪（１）と、ブローチ（２）、ネックレス（３）、ブレスレット（４）等の装飾部（５）へ、ガラスやプラスチックカバー（６）で覆った発光体（７）と、指圧力スイッチ（８）又は、半回転ネジスイッチ（９）を組み込んだ装飾ユニット（１０）を設けることを特徴とする。【選択図】　図１
2004121803.tif 000002
【特許請求の範囲】
【請求項１】
装飾品の指輪、ブローチ、ネックレス、ブレスレット等の装飾部へ、装着すると指の圧力で入るスイッチ又は、半回転のネジによって入るスイッチで、自家発光する発光体を設けた発光体付装飾品。
【発明の詳細な説明】
【０００１】
【発明の属する技術分野】
この発明は、装飾品の指輪、ブローチ、ネックレス、ブレスレット等の装飾部へ宝石の代わりに、ガラスやプラスチックカバーで覆った発光体を、組み込んだ装飾ユニットを取り付けた、発光体付き装飾品に関するものである。
【０００２】
【従来の技術】
従来の装飾品は、装飾部へ金属に細工されたものか、カットされた天然石や人工石を装着したものがほとんどで、装飾部そのものが自家発光する素材は使用されていない。。
【０００３】
【発明が解決しようとする課題】
これは、次のような欠点があった。
従来の装飾品は、装飾部へ金属細工か天然石や人工石を使用しているため、自然光か人工光による反射でしか光り輝くことがなく、夜間や暗所においては装飾品の光輝く楽しみがなかった。
【０００４】
【課題を解決するための手段】
装飾品の指輪（１）や、ブローチ（２）、ネックレス（３）、ブレスレット（４）等の装飾部（５）へ、ガラスやプラスチックカバー（６）で覆われた発光体（７）と、指圧力スイッチ（８）又は、半回転ネジスイッチ（９）を組み込んだ装飾ユニット（１０）を設ける。
そして、装飾品の指輪（１）や、ブローチ（２）、ネックレス（３）、ブレスレット（４）、等を身体に装着すると、指輪（１）は指の圧力で入るスイッチ（８）や、ブローチ（２）、ネックレス（３）、ブレスレット（４）等は、半回転ネジスイッチ（９）を入れることによって、発光体（７）が発光する。
本発明は、以上のような構成よりなる発光体付装飾品である。
【０００５】
【発明の実施の形態】
以下、本発明の実施の形態について説明する。
（イ）　装飾品の指輪（１）や、ブローチ（２）、ネックレス（３）、ブレスレット（４）等の装飾部（５）へ、ガラスやプラスチックカバー（６）で覆われた発光体（７）と、指輪（１）は指の圧力で入る指圧力スイッチ（８）や、ブローチ（２）、ネックレス（３）、ブレスレット（４）等は半回転のネジによって入る半回転ネジスイッチ（９）が組み込まれた装飾ユニット（１０）を設ける。
（ロ）　装飾品の指輪（１）や、ブローチ（２）、ネックレス（３）、ブレスレット（４）等を身体に装着すると、装飾ユニット（１０）に設けられた、指圧力スイッチ（８）や、半回転ネジスイッチ（９）によってスイッチが入り、発光体（７）が発光する
本発明は、以上のような構造で、これを使用するときは、装飾品の指輪（１）へ指をすと入る指圧力スイッチ（８）や、ブローチ（２）、ネッツクレス（３）、ブレスレット（４）等は装着時に、半回転ネジスイッチ（９）を入れることにより、発光体（７）が発光する。
【０００６】
【実施例】
以下、本考案の実施例について説明する。
（イ）　図１のように装飾品の指輪（１）、ブローチ（２）、ネックレス（３）、ブレスレット（４）の装飾部（５）へ発光体（７）と、指圧力スイッチ（８）又は、半回転スイッチ（９）を組み込んだ装飾ユニット（１０）を設ける。
【０００７】
【発明の効果】
本発明は、以上のような構造で、従来の装飾品と異なり、夜間や暗所でも発光するので、身体に装着してダンス会場やパーティ等でのファッションとしてその輝きを楽しむことができる。
【図面の簡単な説明】
【図１】本考案の実施例の斜視図である。
【符号の説明】
（１）　指輪
（２）　ブローチ
（３）　ネックレス
（４）　ブレスレット
（５）　装飾部
（６）　ガラス又はプラスチックカバー
（７）　発光体
（８）　指圧力スイッチ
（９）　半回転ネジスイッチ
（１０）　装飾ユニット
【図１】
2004121803.tif 000003
(57)【要約】【課題】屋内の壁に物干器具等を使って干す際、どのような壁面であっても、干し物が壁に付着しないよう屋内の壁の突起ハンガーを提供する。【解決の手段】吊下げアーム１と、これを支える支持板２で構成し、それぞれの先端部を９０度未満で開閉する支点５で結合して一体となす。吊下げアーム１の上部にを引掛金具３に吊り下げるため吊下孔４を設け、２支持板は先端部にハンガー吊受６を装備し、下端部は壁に付着して安定するよう広がりと厚みを持たせ、底面に緩衝材７、または滑り止材７を装着する。【選択図】　　図３
2004121804.tif 000002
【特許請求の範囲】
【請求項１】
吊下げアーム１と、これを支える支持板２で構成し、それぞれの先端部を９０度未満で開閉する支点５で結合して一体となし、吊下アームの上部は壁などに固着する引掛金具３に吊り下げるための吊下孔４を設け、２支持板は先端部にハンガー吊受６を装備し、下端部は壁に付着して安定するよう広がりと厚みを持たせ、底面に緩衝材７、または滑り止材７を装着したことを特徴とする屋内干し壁の突起ハンガー。
【発明の詳細な説明】
【０００１】
【発明の属する技術分野】
本発明は、屋内で干し物など干す際干し物が壁に付着しないよう、壁から離れて物干器具等を吊り下げる、屋内干し壁の突起ハンガーに関するものである。
【０００２】
【従来の技術】
従来は、物干器具の多くは吊り下げる支点が器具の広がりの中心に位置する構造となっているため、干すものが壁に付着するのを嫌って壁での使用を避け、鴨居や、張った紐、カーテンレールなどに吊り下げて使用する外なかった。
【０００３】
【発明が解決しようとする課題】
これには次のような欠点があった。
（イ）、屋内に干し物を干す際、物干器具等を鴨居や、張った紐、カーテンレールなどに吊り下げる等は、日本国内の住宅事情からくる狭小な居住空間では、干す場所が限定され、生活空間の維持に極めて不便をきたしていた。
（ロ）、物干器具等を使って壁面で物を干すことは、干し物が壁に付着するのを嫌い、使用は控えるケースが多かった。
（ハ）、住居の構造は普通、鴨居の部分より壁を有する部分の方が多いので、壁でも臆する事なく物干器具が使用できるよう、曇雨天の際、或いは厳寒地方では干し物の凍結を避けるためにも強く望まれていた。
本発明は、これらの欠点を解消しようとするものである。
【０００４】
【課題を解決するための手段】
吊下げアーム１と、これを支える支持板２で構成し、それぞれの先端部を９０度未満で開閉する支点５で結合して一体となし、吊下げアーム１の上部は壁などに固着する引掛金具３に吊り下げるため吊下孔４を設ける。支持板２は先端部にハンガー吊受６を装備する。支持板２の下端部は壁に付着して安定するよう広がりと厚みを持たせ、底面に緩衝材７、または滑り止材７を装着したことを特徴とする屋内干し壁の突起ハンガーである。
【０００５】
【発明の実施の形態】
以下、本発明の実施の形態について説明する。
（イ）、吊下げアーム１と、これを支える支持板２で構成し、それぞれの先端部を９０度未満で開閉する支点５で結合して一体となす。
（ロ）、吊下げアーム１の上部にを引掛金具３に吊り下げるため吊下孔４を設け、２支持板は先端部にハンガー吊受６を装備し、下端部は壁に付着して安定するよう広がりと厚みを持たせ、底面に緩衝材７、または滑り止材７を装着する。
本発明は以上のような構造で、これを使用するときは、吊りアーム１と、これを支える支持板２は支点５で結合して一体をなしているので、支点５を閉じ吊りアーム１と支持板２の両方を手で押さえて持ち、吊りアームの上部に設けた吊下孔４を引掛金具３に装着する。吊下げアーム１と、これを支える支持板２のそれぞれの先端部を結合する支点５は、取り扱い易くするために９０度未満で開閉するものとする。
そのまま吊り下げた状態から支点５を開くと、１吊りアームと２支持板は横になったＶ字形をなし、支持板２の一方の端を壁に付着させ、支持板は水平、乃至支点に対して幾分仰角となる位置に定着させ、支点５を突端とする三角形のハンガーを形成する。
支持板２の先端部に装備したハンガー吊受６に、洗濯物など物干器具を吊り下げると、その重量に応じて支持板２に分力が働き、支持板の底面は壁に強く圧着する。支持板２は壁に安定して付着するよう下端に広がりと厚みを持たせ、底面に緩衝材７、または滑り止材７を装着するので使用中ずり落ちることはない。
使用後は引掛金具３に吊り下げたまま支点５を閉じて片付けることができる。
【０００６】
【発明の効果】
このように、壁面では使用者の好む位置に引掛金具（３）を装着すれば、壁の突起ハンガーは簡単に利用でき、現有の物干器具を使用して物を干しても、干し物が壁に付着する嫌な思いは避けられる。どの部分の壁でも、臆面なく、また効率的に物を干すことができる。
雨季並びに冬季厳寒地方では必需品となるであろう。
また屋内では、いろいろな分野で壁のハンガーとして利用できる利点もある。
【図面の簡単な説明】
【図１】本発明の実施例を示す側面図である。
【図２】本発明の実施例を示す正面図である。
【図３】本発明の実施例を示す斜視図である。
【符号の説明】
１　吊下アーム　　　　６　ハンガー吊受
２　支持板　　　　　　７　緩衝材、滑り止材
３　引掛金具
４　吊下孔
５　支点
【図１】
2004121804.tif 000003
【図２】
2004121804.tif 000004
【図３】
2004121804.tif 000005
(57)【要約】【課題】植木鉢を吊るすとき、植木鉢をてこの原理で挟み込んで棒及びロープなどに吊るす。又植木鉢を挟む所が上下するので、植木鉢の大小に対応した植木鉢吊り具を提供する。【解決手段】パイプ（１）の横に、曲げ棒（２）を固定し、軸棒（３）に設け、軸棒（３）にｒ曲げ棒（４）を設ける。又パイプ（１）は、上下することを特徴とする。【選択図】　図１
2004121802.tif 000002
【特許請求の範囲】
【請求項１】
パイプ（１）の横に、曲げ棒に（２）を固定し、軸棒（３）に設け、軸棒（３）に、ｒ曲げ棒（４）を設けた植木鉢吊り具。
【発明の詳細な説明】
【０００１】
【発明の属する技術分野】
この発明は、主に素焼きの植木鉢を、てこの原理で植木鉢をはさんで棒などに吊るすもので、植木鉢をはさむ所が、上下するので大小の植木鉢に対応した植木鉢吊り具に関するものである。
【０００２】
【従来の技術】
従来、素焼きの植木鉢などを、棒などに吊るす時、植木鉢の中心に針金などを植木鉢の底まで突き通し、底で止めていたものを、棒などに吊るしていた。
【０００３】
【発明が解決しようとする課題】
これはつぎのような欠点があった。
（イ）植木鉢の中心に針金を底まで、突き通すので、抜くときに根などを傷めることが多かった。
（ロ）棒の取り付け取り外しが、めんどうだった。
本発明は、以上のような欠点をなくすためになされたものである。
【０００４】
【課題を解決するための手段】
パイプ（１）の横に曲げ棒（２）を固定し、軸棒（３）に設け、軸棒（３）にｒ曲げ棒（４）を設ける。
本発明は、以上の構成よりなる植木鉢吊り具である。
【０００５】
【発明の実施の形態】
以下、本発明の実施の形態について説明する。
パイプ（１）の横に、曲げ棒（２）を固定し、軸棒（３）に差し込んで、軸棒（３）にｒ曲げ棒（４）を固定する。
植木鉢を水平にするため（Ｂ）位置で曲げている。（Ｃ）の箇所の曲げは、植木鉢との距離をとるためである。
本発明は、以上のような構造で、これを使用するときは、曲げ棒（２）を植木鉢の内側の側面にあてｒ曲げ棒（４）を植木鉢の外側の側面にあて（Ａ）の箇所を棒やひもなどに吊るすことにより曲げ棒（２）は、植木鉢の外側に、ｒ曲げ棒（４）は植木鉢の内側に、それぞれ力が加わり、挟み込む形になる。又パイプ（１）が上下するので、植木鉢の大小に対応できるようにし、取り付け取り外しも簡単になった。
【０００６】
【発明の効果】
（イ）１本の棒で吊るすので、植物の邪魔にならない。
（ロ）植木鉢を挟むところが、上下するので、大小の植木鉢に対応出来る。
（ハ）植木鉢を挟むところが、上下するので、取り付け取り外しが簡単に出来る。
【図面の簡単な説明】
【図１】本発明の分解斜視図である。
【図２】本発明の斜視図である。
【図３】本発明の使用状況図（斜線部分は、植木鉢）である。
【符号の説明】
（１）　　　　　パイプ
（２）　　　　　曲げ棒
（３）　　　　　軸棒
（４）　　　　　ｒ曲げ棒
（Ａ、Ｂ、Ｃ）　軸棒（３）の曲がり部
【図１】
2004121802.tif 000003
【図２】
2004121802.tif 000004
【図３】
2004121802.tif 000005
(57)【要約】【課題】運動不足や障害などによる足関節の可動域減少に伴う運動能力の低下を解消するよう本来の関節可動域を可能な範囲で大きく動かし、なおかつ運動時に関節が過伸展にならないよう考慮された状態で運動を行うことが可能な道具を考える。【解決手段】体重による負荷によって変形しない固い素材のもので足接地面やや前方に凹みを有し、底面に半円柱状の突出部を有し、突出部の床面との接地点を支点とするシーソーのような形状で突出部とつま先を結ぶ角度、突出部と踵を結ぶ角度それぞれを長さや高さを変えることによって足関節の可動域を越えて不安定にならないように角度を設定した履物を利用し運動することによって関節可動域内で運動をおこなえるようにした。【選択図】　　　　図１
2004121451.tif 000002
【特許請求の範囲】
【請求項１】
体重による負荷によって変形しない固い素材の本体底面の中央やや前方よりに突出部をもち、足接地面の中央やや前方に足指による足関節の可動補助を行いやすくするための凹みを有し、本体の傾きが足関節可動域の底屈４５度および背屈２０度を越えぬよう考慮された構造により、利用者が体重移動によって足関節の関節可動域の過伸展を防ぎながら底屈や背屈の運動をおこないやすくするための道具。
【発明の詳細な説明】
【０００１】
【考案の属する分野】
本発明は、履物を利用した健康用品に関するものである。
【０００２】
【従来の技術】
従来の履物では足関節の背屈位をとる場合は　履いているものとは別の何かの台などを利用しなければならず、爪先立ちも行いにくかった。また、足関節を動かすよう考案された履物であっても関節の可動域を超えて不安定になりやすい形状のものや、可動域が狭い形状のために十分な運動が行われにくいものであった。
【０００３】
【発明が解決しようとする課題】
運動不足や障害のために足関節の可動域の自由度が低下し運動能力の低下もしくは可動範囲の減少がみられる物に対し、利用者が体重移動を行うことにより関節の過伸展をおこさぬよう考慮された状態で、関節が本体持つ可動域全体を使って底屈および背屈の運動を行えるようにする道具を提供する。
【０００４】
【課題を解決するための手段】
体重による負荷によって変形しない固い素材の本体底面に半円状の一つの突出部をもち、その突出部の接地面を支点にシーソーのように前後に傾く形状を有し、突出部の接地点と前後の接地面との長さや形により傾きの角度を調整し、傾けたときの足接地面と床面との角度を底屈４５度背屈２０度に合わせ、なおかつ底屈時の足の不安定な状態を足の指の働きによって補助させる目的で本体の足接地面中央やや前方よりに凹みを持つ形状の履物により、利用者が体重移動など、姿勢を変えることによって底屈・背屈の位置を足関節の可動域内では自由にまた可動範囲を超えて不安定にならないように足関節の可動域にそった運動を行いやすくした事をもっとも主要な特徴とする。
【０００５】
【発明の実施の形態】
本体に足を固定する鼻緒や布を取り付けそれによりサンダルのように履き本体に設けた突出部を支点に履いている者が本体後方へ体重移動を行うことにより本体が後方へ傾き足関節は背屈運動を行い、本体前方へ体重移動を行うことにより本体が前方へ傾き足関節は底屈運動を行うことになる。このとき本体の足接地面が直線的な形状では足が滑りやすく不安定になるが本体足接地面に設けた凹みにより足の指が凹み面を利用し支えることで足関節の底屈の運動が行いやすくなる。なおかつ本体が固い素材のために設定された爪先方向に約４５度踵方向に約２０度の角度で足関節の動きは止められるため関節の過剰な動きが起こらず、利用者は安心して運動を行える。
【０００６】
【実施例】
以下、添付図面に従って実施例を説明する。図１は本発明品２の本体に足を固定するため１の帯状のものを付けたものを横から見た図である。（図２において）本体は半円柱状の３突出部と足接地面に２ａ足接地面前部と２ｂ足接地面後部とからなる凹みを有する形状を特徴とし、３突出部を支点としながらシーソーのように前後に傾くが、前後に傾けた場合それぞれ４つま先側接地面と５かかと側接地面により傾き角が制約を受ける形状のものである。（図３において）Ｂ本体突出部とかかと側接地面とを結ぶ線はＡ水平面に対し２０度でありＣ本体突出部と本体つま先側接地面とを結ぶ線はＢ本体突出部とかかと側接地面とを結ぶ線に対して４５度である。Ｄ本体足接地面前部面はＡ水平面に対してマイナス５度であり、Ｅ本体足接地面後部面はＡ水平面に対して１０度である。これらの形状や各部分の角度によって（底屈時のすべり等による不安定解消に足の指の補助を使いながら）足関節の底屈や背屈の運動を足関節の過伸展を防ぎながら可動域の範囲内で効果的に行うことができるよう考えられたものである。
【０００７】
【発明の効果】
以上説明したように本発明は特殊な形状の履物を利用することによって足関節の過伸展になることを心配せずに足関節の可動域を効果的に使い背屈や底屈などの運動を行える。加えて立位で本発明品を用い底屈や背屈の運動を行いバランスをとることで下肢全体の筋群、腹筋背筋等の抗重力筋といわれる重力に対して姿勢を安定させようと働く筋肉全体のバランスに働きかけ良い姿勢を保つことにも効果が期待できる。
【図面の簡単な説明】
【図１】本体を横から見た図（本体に帯状の足固定部分を付けてある。）
【図２】本体を横から見た各部分の説明図
【図３】本体を横から見た各部分の角度説明の図
【図４】本体を下から見た図
【符号の説明】
１　　　　　　　帯状の足固定部分
２　　　　　　　本体
２ａ　　　　　足接地面前部
２ｂ　　　　　足接地面後部
３　　　　　　　突出部
４　　　　　　　つま先側接地面
５　　　　　　　かかと側接地面
Ａ　　　　　　　水平面
Ｂ　　　　　　　本体突出部とかかと側接地面とを結ぶ線
Ｃ　　　　　　　本体突出部と本体つま先側接地面とを結ぶ線
Ｄ　　　　　　　本体足接地面前部面
Ｅ　　　　　　　本体足接地面後部面
【図１】
2004121451.tif 000003
【図２】
2004121451.tif 000004
【図３】
2004121451.tif 000005
【図４】
2004121451.tif 000006
(57)【要約】　　　（修正有）【課題】虚像合成表示装置を、至近距離や見下ろし視線で見ても、仕掛けである画像表示装置の表示画面が直接見えないようにする。また、展示物の交換に応じて対応した画像が自動的に表示されるようにして、固定展示のみならず、教育用機器としても使用可能にする。【解決手段】画像表示装置の表示画面３の前に光線透過方向を制限する光学素子６を設け、観察者から直接画面が見えないようにする。また、展示する物体やその台座に設けた識別コードを読取り、予めファイルされた説明画像を検索して表示画面に表示、展示する物体と合成して表示する。【選択図】図１
2004029687.tif 000002
【特許請求の範囲】
【請求項１】
画像表示装置の表示画面３の前に、光線透過方向を制限する光学素子６を設け、ハーフミラー２の方向にのみ光線を透過させることにより、観察者より直接表示画面３が見えないように構成された虚像合成表示装置。
【請求項２】
識別コード１０が付加された展示する物体１が装置の定位置に置かれたとき、識別コード読取機１２により識別コード１０が読み取られ、読み取られたコードに対応する画像が検索され、画像表示装置の表示画面３に表示されることにより、展示する物体１に対応した説明画像４が、虚像７として、物体上もしくは近傍に合成表示されることを特長とする虚像合成表示装置。
【請求項３】
請求項２の装置において、請求項１の構成をあわせ用いた虚像合成表示装置。
【発明の詳細な説明】
【０００１】
【発明の属する技術分野】
本発明は、展示する物体上あるいは近傍に説明画像を虚像として合成表示する装置に関するものである。
【０００２】
【従来の技術】
虚像合成表示装置は博物館等で用いられるが、使用する画像表示装置の表示画面が観客から直接見えて仕掛けがわかることを防止するために、観客には子供が多いにもかかわらず、装置を大人の視線高さ以上の位置に、しかも観客から一定の距離をとって設置せざるを得ず、見づらいものとなっていた。また、映像はあらかじめ決められたプログラムで固定されているため、展示物を自由に入れ替えて対応する画像を表示することができなかった。
【０００３】
【発明が解決しようとする課題】
虚像合成表示装置において、至近距離や見下ろし視線で見ても、仕掛けである画像表示装置の表示画面が直接見えないようにすること。また、展示物の交換に応じて対応した画像が自動的に表示されるようにして、固定展示のみならず、教育用機器としても使用可能にすること。
【０００４】
【課題を解決するための手段】
（イ）画像表示装置の表示画面３の前に光線透過方向を制限する光学素子６を設け、表示画面から出た光５がハーフミラー２以外の、観察者の視点８の方向に向かわないように設定する。
（ロ）展示する物体１に対応する説明画像を、物体の種類分予め用意し、コードナンバーをつけて画像検索装置１３にファイルする。
（ハ）対応する画像のコードナンバーの識別コードを、展示する物体１あるいは展示物体の台座９に付加する。
（ニ）展示する物体１が装置の定位置に置かれたことをセンサー１１で確認し、識別コード読取機１２にて識別コード１０を読み取る。
（ホ）読み取られたコードナンバーにて画像検索装置１３の画像ファイルを検索し、検索された画像を表示画面３に表示する。
（ヘ）表示画面３はハーフミラー２に反射することにより、物体１上あるいはその近傍に虚像７として合成表示される。
【０００５】
【発明の実施形態】
＜実施の形態１＞
図１のように画像表示装置の表示画面３の前に微細ルーバー構造等で作られた光線透過方向を制限する光学素子６を、透過を制限する方向が表示画面３の上下方向と一致するように設け、ハーフミラー２に向かう方向の光線は透過するが、観察者の視点８の方には光線が遮断されて、向かわないように設定する。図２に示すように、表示画面３から出た光５のうち、ハーフミラー２の方に向かう光は光学素子６を透過するが、それと大きく異なる方向の光は透過しないので観察者の視点８から表示画面３は直接見えず、表示装置の存在を感じさせない。なお、光線透過方向を制限する光学素子６は製品として供給されている。一方、ハーフミラー２に向かった光は反射して観察者の方に向かい、観察者の視点８からは、表示画面３上の説明画像４が展示する物体１の上あるいは近傍に虚像７として重なって見え、虚像合成表示の目的を達する。
＜実施の形態２＞
図３および図４に示すように、展示する物体１に対応した説明画像４を、実写、あるいはコンピュータグラフィックス等の方法で予め制作し、コードナンバーを付け、パーソナルコンピュータ等を使用した画像検索装置１３の画像ファイルに保存する。説明画像４は目的に応じて、静止画であっても動画であってもかまわない。展示する物体１あるいは展示物体の台座９には対応する説明画像のコードナンバーが入った識別コード１０を付加する。識別コード１０の例をあげれば、バーコード、２次元コード、ＩＣチップなどである。いま、複数の展示する物体１があり、それぞれに対応した説明画像がファイルされているとする。任意の展示する物体１が装置にセットされ、センサー１１で定位置にあることが確認されると、識別コード読取機１２が識別コード１０のコードナンバーを読取り、読取信号が画像検索装置１３に入力され、画像検索ソフトウェアによって画像ファイルから該当する説明画像が検索され、画像出力されて、画像表示装置の表示画面３に説明画像４が表示される。表示された説明画像４はハーフミラー２に反射して、展示する物体１の上あるいは近傍に虚像７が形成される。このようにして、展示する物体１を入れ替えても対応した説明画像が虚像合成表示される。
＜実施の形態３〉
実施形態２においても、光線透過方向を制限する光学素子６を表示画面３の前に設けることにより、観察者の視点８から直接、表示画面３が見えなくなり画像表示装置の存在を感じさせないため、装置を高い位置に置く必要がなく、子供の視線に合わせて設置することが可能になる。
【０００６】
【発明の効果】
本発明により、虚像合成表示装置を至近距離に、かつ子供の視線高さに合わせて設置することが可能になり、展示が見やすくなり学習効果が向上する。また、画像自動検索機能を付加したものは、自由に物体を入れ替えて対応画像を表示できるインタラクティブ性を持つため、展示だけでなく、教室等で教育機器として有効に活用することができる。
【０００７】
【図面の簡単な説明】
【図１】至近から観察可能な虚像合成表示装置の見取図
【図２】図１の装置の光路を説明する断面図
【図３】至近から観察可能でかつ展示物体に対応した説明画像を自動的に検索表示する虚像合成表示装置の見取図
【図４】図３の装置の画像検索表示機能を説明する信号系統図
【符号の説明】
１．展示する物体
２．ハーフミラー
３．画像表示装置の表示画面
４．説明画像
５．表示画面から出た光
６．光線透過方向を制限する光学素子
７．合成表示される虚像
８．観察者の視点
９．展示物体の台座
１０．識別コード
１１．センサー
１２．識別コード読取機
１３．画像検索装置
【図１】
2004029687.tif 000003
【図２】
2004029687.tif 000004
【図３】
2004029687.tif 000005
【図４】
2004029687.tif 000006
(57)【要約】【課題】インターネット電話（テレビ）を利用し、パソコンに楽器のためのプラグアダプターを取付けることにより、全国どこからでも自宅に居ながらにして楽器・歌唱指導が受けられるシステムを提供する。【解決手段】パソコンの音声入力部分にプラグアダプター（２個の入力部分有）を取付け、２個の入力部分のうち、一方の入力部分に楽器用のミニプラグを取付ける。そこに、楽器を入力し、インターネット電話（テレビ）を利用することにより、通信指導が可能となることを特徴とする。【特許請求の範囲】
【請求項１】
マイク付ヘッドフォンと楽器接続のためのオーディオアダプタ・ミニジャックをパソコンの各ＩＮＰＵＴに差込み、インターネット電話（テレビ）により楽器・歌を指導するシステム。
【発明の詳細な説明】
【０００１】
【発明の属する技術分野】
この発明は、パソコンにプラグアダプタを取付け、楽器を接続することによって、インターネット電話（テレビ）により楽器・歌唱指導するものである。
【０００２】
【従来の技術】
従来、楽器や歌の技術を取得するには、実際に音楽教室に通ってマスターす
るのが一般的であった。
【０００３】
【発明が解決しようとする課題】
これは、次のような欠点があった。
従来の音楽指導方法では、生徒が時間をかけて、音楽学校や教室に通わなければならなかった。僅かな時間のレッスンの為に、自宅から目的の学校までの距離が近い生徒はよいが、遠距離の生徒には酷であることや、通うことができない者が多かった。
本発明は、以上の欠点を解決するためになされたものである。
【０００４】
【課題を解決するための手段】
パソコンのマイク入力部分にプラグアダプター（２個の入力部分があるもの）を取付け、その一方に楽器用のミニプラグを取付ける。この部分に楽器のシールドを差込み、インターネット電話（テレビ）を利用して楽器や歌を指導する。
本発明は、以上の構成によりなるインターネット電話（テレビ）による楽器・歌唱指導システムである。
【０００５】
【発明の実施の形態】
パソコンには、音声認識のためのマイク入力部分とヘッドフォンの入力部分がある。ヘッドフォンは通常の入力部分に差込む。このうち、マイク入力の部分に、オーディオ用のプラグ・アダプター（入力が２個有）を差込み、この２個ある入力部分の一方にマイク付ヘッドフォンのマイクのジャックを差込み、もう一方の入力部分に、楽器用のミニプラグを取付ける。この楽器用ミニプラグ部分に両者が楽器を接続することにより、声と楽器が聴音できるようになる。
本発明は、以上のような構成で、これを利用するときは、相手方にインターネット電話（テレビ）を掛け、上記のセッティングをした上で、楽器を弾きながら指導すればよい。
【０００６】
【発明の効果】
このシステムを利用すれば、音楽教育機関に足を運ぶ必要はなく、全国どこからでも自宅において楽器・歌唱指導が受けられるようになる。また、生徒も教育機関も経費削減ができ、経済的にも効果も生じる。さらに、より細かく指導を受ける場合は、カメラを取付けることによって楽器のポジションや技法が確認できるようになり効果は倍増する。